(57)【要約】      （修正有）【課題】二つの筐体を開閉して、両筐体の表示部を一つの画面として表示できる電子機器を提供する。【解決手段】第１面２３を有する第１筐体２０と、第２面３３を有する第２筐体３０とが、ヒンジ部を介して回動可能に連結されている。第１回動軸Ｓ１を中心として第１筐体２０および第２筐体３０を回動させることにより、第１筐体２０において第２筐体３０に近い第１稜線２１１と、第２筐体３０において第１筐体２０に近い第２稜線３１１とが近接する。このため、第１面と、第２面とが、同一平面上で接近して配置されるので、両筐体の表示画面で連続した表示が可能になる。また、第１回動軸Ｓ１が、第２回動軸Ｓ２により第１筐体２０に取り付けられ、第３回動軸Ｓ３により第２筐体３０に取り付けられており、開状態において第２回動軸Ｓ２と第３回動軸Ｓ３とを回転させることにより、第１回動軸Ｓ１の向きを変えることができる。これにより、開状態を維持できる。【選択図】図２
2013042338.tif 000002
【特許請求の範囲】
【請求項１】
第１面を有する第１筐体と、
第２面を有する第２筐体と、
前記第１筐体と前記第２筐体とを開閉可能に連結するヒンジ部とを備え、
前記第１筐体および前記第２筐体は、開状態において隣接するとともに、前記第１面と前記第２面とが同一平面上に配置されるよう連結され、
前記ヒンジ部は、
前記第１筐体と前記第２筐体との連結面に沿った方向に軸心を有する第１回動軸と、
前記第１回動軸の軸心方向に対して直交方向に軸心を有し、前記第１面から突出しないよう前記第１筐体に連結される第２回動軸と、
前記第１回動軸の軸心方向に対して直交方向に軸心を有し、前記第２面から突出しないように前記第２筐体に連結され、前記開状態において前記第２回動軸と同一線上に配置される第３回動軸と、を有し、
前記第１筐体および前記第２筐体を、前記第１面および前記第２面が対向する閉状態と、前記第１面および前記第２面が隣接する前記開状態との間で相対的に回動するよう連結するとともに、
前記開状態において前記第２回動軸および前記第３回動軸を中心として回動するよう連結することを特徴とする電子機器。
【請求項２】
第１面を有する第１筐体と、
第２面を有する第２筐体と、
前記第１筐体と前記第２筐体とを開閉可能に連結するヒンジ部とを備え、
前記第１筐体および前記第２筐体は、前記第１筐体の前記第１面における前記第２筐体に最も近い第１稜線と、前記第２筐体の前記第２面における前記第１筐体に最も近い第２稜線とが互いに平行、かつ、近接するように連結され、
前記ヒンジ部は、
前記第１稜線および前記第２稜線の延長線に沿った方向に軸心を有する第１回動軸と、
前記第１回動軸の軸心方向に対して直交方向に軸心を有し、前記第１面から突出しないよう前記第１筐体に連結される第２回動軸と、
前記第１回動軸の軸心方向に対して直交方向に軸心を有し、前記第２面から突出しないように前記第２筐体に連結され、前記開状態において前記第２回動軸と同一線上に配置される第３回動軸と、を有し、
前記第１筐体および前記第２筐体を、前記第１面および前記第２面が対向する閉状態と、前記第１面および前記第２面が隣接する開状態との間で相対的に回動するよう連結するとともに、
前記開状態において前記第２回動軸および前記第３回動軸を中心として回動するよう連結することを特徴とする電子機器。
【請求項３】
請求項２に記載の電子機器において、
前記第１筐体が前記第１面とは反対側の第３面を有するとともに、
前記第２筐体が前記第２面とは反対側の第４面を有し、
前記開状態において前記第１筐体の前記第３面における前記第２筐体に最も近い第３稜線と、前記第２筐体の前記第４面における前記第１筐体に最も近い第４稜線とが互いに平行、かつ、近接するように配置され、
前記ヒンジ部が、前記第２回動軸および前記第３回動軸を中心として１８０度回動することで前記第３稜線および前記第４稜線の延長線に沿って前記第１回動軸を配置することにより、
前記開状態から前記第３面および第４面が対向する折返状態まで前記第１筐体および前記第２筐体が回動可能となることを特徴とする電子機器。
【請求項４】
請求項２または請求項３に記載の電子機器において、
前記第１面に第１表示部が設けられているとともに、前記第２面に第２表示部が設けられ、
前記第１表示部および前記第２表示部を挟む対向位置にそれぞれ前記ヒンジ部が設けられていることを特徴とする電子機器。
【発明の詳細な説明】
【技術分野】
【０００１】
本発明は、第１筐体と第２筐体とを相対的に回動可能に有する電子機器に関するものである。
【背景技術】
【０００２】
従来より、第１筐体と第２筐体が連結機構を介して連結された携帯型の電子機器が知られている（例えば、特許文献１参照）。
図１１に示すように、特許文献１に記載の電子機器１００においては、第１筐体１０１と第２筐体１０２が連結機構１０３を介して互いに回動可能に連結されている。第１筐体１０１は第１画像表示面１０４を有し、第２筐体１０２は第２画像表示面１０５を有する。
この電子機器１００では、第１画像表示面１０４と第２画像表示面１０５とを対向させて覆う全閉状態と、第１画像表示面１０４と第２画像表示面１０５とを同一平面上に露出させた全開状態の２つの状態を選択的に設定することができる。
【０００３】
ここで、連結機構１０３と第２筐体１０２との間には、全開状態で第２筐体１０２を第１筐体１０１側へスライドさせるためのスライド機構（矢印Ａ参照）を有する。
従って、第１画像表示面１０４と第２画像表示面１０５とを同一平面上に揃えた全開状態で近づけることにより、２つの画像表示面１０４、１０５を１つの画面として画像の表示を行なう場合、殆ど途切れのない良好な画像表示が可能となる。
【先行技術文献】
【特許文献】
【０００４】
【特許文献１】特開２０１１−７１８６５号公報（第５図）
【発明の概要】
【発明が解決しようとする課題】
【０００５】
しかしながら、従来の電子機器においては、第１筐体および第２筐体を回動させた後にスライドさせるスライド機構を有するため、構造が複雑で、操作も煩雑であるという問題があった。
【０００６】
本発明は、従来の問題を解決するためになされたもので、簡易な構造および操作で、二つの筐体を開閉して、両筐体の表示部を用いてあたかも一つの画面として良好な表示ができる電子機器を提供することを目的とする。
【課題を解決するための手段】
【０００７】
本発明の電子機器は、第１面を有する第１筐体と、第２面を有する第２筐体と、前記第１筐体と前記第２筐体とを開閉可能に連結するヒンジ部とを備え、前記第１筐体および前記第２筐体は、開状態において隣接するとともに、前記第１面と前記第２面とが同一平面上に配置されるよう連結され、前記ヒンジ部は、前記第１筐体と前記第２筐体との連結面に沿った方向に軸心を有する第１回動軸と、前記第１回動軸の軸心方向に対して直交方向に軸心を有し、前記第１面から突出しないよう前記第１筐体に連結される第２回動軸と、前記第１回動軸の軸心方向に対して直交方向に軸心を有し、前記第２面から突出しないように前記第２筐体に連結され、前記開状態において前記第２回動軸と同一線上に配置される第３回動軸と、を有し、前記第１筐体および前記第２筐体を、前記第１面および前記第２面が対向する閉状態と、前記第１面および前記第２面が隣接する前記開状態との間で相対的に回動するよう連結するとともに、前記開状態において前記第２回動軸および前記第３回動軸を中心として回動するよう連結することを特徴とする。
【０００８】
また、本発明の電子機器は、第１面を有する第１筐体と、第２面を有する第２筐体と、前記第１筐体と前記第２筐体とを開閉可能に連結するヒンジ部とを備え、前記第１筐体および前記第２筐体は、前記第１筐体の前記第１面における前記第２筐体に最も近い第１稜線と、前記第２筐体の前記第２面における前記第１筐体に最も近い第２稜線とが互いに平行、かつ、近接するように連結され、前記ヒンジ部は、前記第１稜線および前記第２稜線の延長線に沿った方向に軸心を有する第１回動軸と、前記第１回動軸の軸心方向に対して直交方向に軸心を有し、前記第１面から突出しないよう前記第１筐体に連結される第２回動軸と、前記第１回動軸の軸心方向に対して直交方向に軸心を有し、前記第２面から突出しないように前記第２筐体に連結され、前記開状態において前記第２回動軸と同一線上に配置される第３回動軸と、を有し、前記第１筐体および前記第２筐体を、前記第１面および前記第２面が対向する閉状態と、前記第１面および前記第２面が隣接する開状態との間で相対的に回動するよう連結するとともに、前記開状態において前記第２回動軸および前記第３回動軸を中心として回動するよう連結することを特徴とする。
【０００９】
さらに、本発明の電子機器は、前記第１筐体が前記第１面とは反対側の第３面を有するとともに、前記第２筐体が前記第２面とは反対側の第４面を有し、前記開状態において前記第１筐体の前記第３面における前記第２筐体に最も近い第３稜線と、前記第２筐体の前記第４面における前記第１筐体に最も近い第４稜線とが互いに平行、かつ、近接するように配置され、前記ヒンジ部が、前記第２回動軸および前記第３回動軸を中心として１８０度回動することで前記第３稜線および前記第４稜線の延長線に沿って前記第１回動軸を配置することにより、前記開状態から前記第３面および第４面が対向する折返状態まで前記第１筐体および前記第２筐体が回動可能となることを特徴とする。
【００１０】
そして、本発明の電子機器は、前記第１面に第１表示部が設けられているとともに、前記第２面に第２表示部が設けられ、前記第１表示部および前記第２表示部を挟む対向位置にそれぞれ前記ヒンジ部が設けられていることを特徴とする。
【発明の効果】
【００１１】
本発明によれば、第１回動軸が第１筐体と第２筐体との連結面に沿った方向に軸心を有するとともに、第２回動軸が第１面から突出しないように第１筐体に連結され、かつ、第３回動軸が第２面から突出しないように第２筐体に連結されているため、開状態において第１面と第２面とが同一平面上に配置される。この際、第２回動軸および第３回動軸を中心としてヒンジ部を回動させることにより、第１筐体と第２筐体とが閉状態となることを阻止できる。
このように、本発明によれば、開状態において第１面と第２面とが同一平面上に配置できるとともに、この状態を容易に維持できるという効果を有する電子機器を提供できる。
【図面の簡単な説明】
【００１２】
【図１】（Ａ）は本発明に係る実施形態の電子機器の閉状態を示す斜視図であり、（Ｂ）は（Ａ）中Ｂ方向から見た閉状態におけるヒンジ部の平面図であり、（Ｃ）は（Ａ）中Ｃ方向から見たヒンジ部の側面図
【図２】本発明に係る実施形態の電子機器の分解斜視図
【図３】ヒンジ部の分解斜視図
【図４】（Ａ）ないし（Ｅ）は第１筐体および第２筐体の開閉動作を示す説明図
【図５】閉状態と開状態との間の電子機器を示す斜視図
【図６】開状態において両筐体が固定されていない状態の斜視図
【図７】開状態において両筐体が固定された状態の斜視図
【図８】開状態からさらに第１筐体および第２筐体を回動させる際の状態を示す斜視図
【図９】開状態から折り返す際の斜視図
【図１０】折返状態の斜視図
【図１１】従来の電子機器の斜視図
【発明を実施するための形態】
【００１３】
以下、本発明に係る実施形態の電子機器について、図面を用いて説明する。
図１（Ａ）に示すように、本発明に係る実施形態の電子機器１０は、第１筐体２０と、第２筐体３０と、第１筐体２０および第２筐体３０を回動可能に連結するヒンジ部４０とを有する。
第１筐体２０ヒンジ部４０は、図１（Ａ）における上側の第１ヒンジ部４１と、第２ヒンジ部４２を有する。
【００１４】
図２に示すように、第１筐体２０は、それぞれ一面が開口した矩形箱状のカバー２１とケース２２を有し、それぞれの開口を対向させて接続して形成される。
カバー２１は、筐体の開状態において第２筐体３０と対向する面に第１面２３を有し、第１面２３には第１表示部２４を有する。カバー２１は、第１面２３における第２筐体３０に最も近い位置（筐体の開状態において第１筐体２０が第２筐体３０と対面する面）に第１稜線２１１を有し、第１稜線２１１の上下両端部には、ヒンジ用切欠き２１２が設けられている。ヒンジ用切欠き２１２には、ヒンジ用凹部２１３が設けられている。
また、ケース２２は、第１面２３と反対側に第３面２５を有する。ケース２２は、第３面２５における第２筐体３０に最も近い位置（筐体の開状態において第２筐体３０が第１筐体２０と対面する面）に第３稜線２２１を有し、第３稜線２２１の上下両端部には、ヒンジ用切欠き２２２が設けられている。ヒンジ用切欠き２２２には、ヒンジ用凹部２１３とともに円形の切欠きを形成するヒンジ用凹部２２３が設けられている。
【００１５】
同様に、第２筐体３０は、それぞれ一面が開口した矩形箱状のカバー３１とケース３２を有し、それぞれの開口を対向させて接続して形成される。
カバー３１は、第１筐体２０と対向する面に第２面３３を有し、第２面３３には第２表示部３４を有する。カバー３１は、第２面３３における第１筐体２０に最も近い位置に第２稜線３１１を有し、第２稜線３１１の上下両端部には、ヒンジ用切欠き３１２が設けられている。ヒンジ用切欠き３１２には、ヒンジ用凹部３１３が設けられている。
また、ケース３２は、第２面３３と反対側に第４面３５を有する。ケース３２は、第４面３５における第１筐体２０に最も近い位置に第４稜線３２１を有し、第４稜線３２１の上下両端部には、ヒンジ用切欠き３２２が設けられている。ヒンジ用切欠き３２２には、ヒンジ用凹部３１３とともに円形の切欠きを形成するヒンジ用凹部３２３が設けられている。
【００１６】
図１（Ａ）、（Ｂ）、（Ｃ）に示すように、ヒンジ部４０は、第１筐体２０の上部と第２筐体３０の上部とを連結する第１ヒンジ部４１と、第１筐体２０の下部と第２筐体３０の下部とを連結する第２ヒンジ部４２を有する。
なお、第１ヒンジ部４１と第２ヒンジ部４２とは、上下対称の構成をしているので、特に区別をする場合を除き、第１ヒンジ部４１について説明する。
【００１７】
図３に示すように、第１ヒンジ部４１は、第１筐体２０側に回転可能に取り付けられる第１ブロック４３と、第２筐体３０側に回転可能に取り付けられる第２ブロック４４を有する。
第１ブロック４３は、略直方体形状の基部４３１と、基部４３１に連続する外側（図１（Ａ）において上下外側）に球面状に膨らんだ膨出部４３２を有する。膨出部４３２の内面（図３において上面）は平面状に形成されており、中央部には第１軸受け穴４３３を有する。また、基部４３１には、円柱状の第２軸部４３４が突設されている。
【００１８】
一方、第２ブロック４４は、略直方体形状の基部４４１と、基部４４１に連続する内側（図１（Ａ）において上下内側）に球面状に膨らんだ膨出部４４２を有する。膨出部４４２の内面（図３において下面）は平面状に形成されており、中央部には第１ブロック４３側に突出する第１軸部４４３を有する。また、基部４４１には、円柱状の第２軸部４４４が突設されている。
【００１９】
図１（Ｂ）に示すように、第１ブロック４３の第１軸受け穴４３３に、第２ブロック４４の第１軸部４４３を挿嵌して、第１ブロック４３と第２ブロック４４を相対的に回動可能に連結する。このとき第１ブロック４３の第１軸受け穴４３３または、第２ブロック４４の第１軸部にはストッパ（図示略）が設けられており脱落しないようになっている。また、このときの回動軸は、第１回動軸Ｓ１である。
図２に示すように、第１ブロック４３の第２軸部４３４は、第１筐体２０のヒンジ用凹部２１３、２２３を貫通して、第１筐体２０の内部においてギヤ２６１、２６２が取り付けられて回動可能に支持されている。このときの回動軸は、第２回動軸Ｓ２である。
また、第２ブロック４４の第２軸部４４４は、第２筐体３０のヒンジ用凹部３１３、３２３を貫通して回動可能に支持されており、ストッパ（図示省略）によりヒンジ用凹部３１３、３２３から脱落しないようになっている。このときの回動軸は、第３回動軸Ｓ３である。
【００２０】
図２に示すように、第１ヒンジ部４１におけるギヤ２６１と、第２ヒンジ部４２におけるギヤ２６２との間には、タイミングベルト２７が交差状態で巻回されている。
これにより、ギヤ２６１とギヤ２６２とは、同期して反対方向へ回転するので、第１ヒンジ部４１と第２ヒンジ部４２とは、第２回動軸Ｓ２を中心として、反対方向へ同じ角度だけ回転する。
【００２１】
次に、第１筐体２０および第２筐体３０の開閉動作について説明する。
まず、図４（Ａ）および図１（Ａ）に示すように、第１筐体２０の第１面２３と、第２筐体３０の第２面３３とを対向させて積層した閉状態について説明する。なお、説明の都合上、図１（Ｂ）および（Ｃ）には、第２ヒンジ部４２について図示する。
この場合、ヒンジ部４０では、第１ブロック４３の第２軸部４３４（第２回動軸Ｓ２）および第２ブロック４４の第２軸部４４４（第３回動軸Ｓ３）は、上下に積層されて同一方向に向く（図１（Ｃ）参照）。また、第１回動軸Ｓ１は、第１ヒンジ部４１および第２ヒンジ部４２において同一直線上にある。
【００２２】
第１筐体２０および第２筐体３０を開く場合には、図４（Ａ）において、第１回動軸Ｓ１を中心として矢印Ａ方向へ移動させて、図５に示すように、第１筐体２０を開く。
図４（Ｂ）および図６には、第１筐体２０および第２筐体３０を完全に開いた開状態が示されている。このとき、第１筐体２０および第２筐体３０を相対的に回動させる第１回動軸Ｓ１は、第１筐体２０の第１稜線２１１および第２筐体３０の第２稜線３１１の近傍において平行に位置している。すなわち、第１回動軸Ｓ１は、第１筐体２０と第２筐体３０との連結面に沿った方向に軸心を有する。
このため、第１筐体２０の第１面２３の第１表示部２４と、第２筐体３０の第２面３３の第２表示部３４とが、同一平面上にある。また、第１筐体２０の第１稜線２１１と、第２筐体３０の第２稜線３１１とは隣接しているので、第１表示部２４と第２表示部３４は、略連続している。
【００２３】
同様に、第１筐体２０の第３面２５の第３稜線２２１と、第２筐体３０の第４面３５の第４稜線３２１とが互いに平行、かつ、近接している（図２参照）。
ここで、第３稜線２２１および第４稜線３２１は、互いに極めて近くに配置されていればよく、互いに接触していてもよい。本発明における近接とは、第３稜線２２１および第４稜線３２１が互いに接触しているか否かを問わない。
【００２４】
なお、この状態では、第１ヒンジ部４１および第２ヒンジ部４２の一部は、第１面２３および第２面３３から上方に突出している（図４（Ｂ）参照）。
また、ヒンジ部４０の第２回動軸Ｓ２と第３回動軸Ｓ３とが、一直線に伸びている。この状態では、第１筐体２０および第２筐体３０はロックされておらず、容易に閉じることができる。
【００２５】
図４（Ｃ）および図７には、開状態を保持（ロック）する状態が示されている。
すなわち、図６における開状態において、第１ヒンジ部４１および第２ヒンジ部４２を、それぞれ外向きに例えば９０度回動させる。すなわち第１ヒンジ部４１においては図６中矢印Ａ方向へ、第２ヒンジ部４２においては矢印Ｂ方向へ回動させる。このときの回動軸は、第２回動軸Ｓ２および第３回動軸Ｓ３である。
これにより、図７に示すように、第１回動軸Ｓ１が、第１筐体２０および第２筐体３０の開閉時に対して角度（例えば、９０度）を有することになるため、第１回動軸Ｓ１回りに回動不可能となり、第１筐体２０および第２筐体３０は開状態にロックされる。
【００２６】
なお、第１ヒンジ部４１および第２ヒンジ部４２を回動させる際には、いずれか一方を回動させればよい。すなわち、いずれか一方を回動させると、第１ヒンジ部４１のギヤ２６１と第２ヒンジ部４２のギヤ２６２を連結しているタイミングベルト２７（図２参照）の働きにより、第１ヒンジ部４１および第２ヒンジ部４２が同期して、反対方向へ同じ角度だけ回動する。
これにより、第１ヒンジ部４１および第２ヒンジ部４２は、第１面２３および第２面３３から突出しなくなり、または突出量が極めて小さくなり、第１表示部２４と第２表示部３４とが、同一平面上に位置することになる。このため、ゲームや電子書籍等を、全面で利用することができる。
【００２７】
図４（Ｄ）および図８には、第１筐体２０および第２筐体３０をさらに回動させるための準備動作が示されている。
すなわち、図７の開状態において、第１ヒンジ部４１および第２ヒンジ部４２を、それぞれ外向きに回動させる。すなわち第１ヒンジ部４１においては図７中矢印Ａ方向へ、第２ヒンジ部４２においては矢印Ｂ方向へ回動させる。このときの回動軸は、第２回動軸Ｓ２および第３回動軸Ｓ３である。
【００２８】
これにより、図４（Ｄ）および図８に示すように、第１ヒンジ部４１および第２ヒンジ部４２の第１回動軸Ｓ１が同一直線上に位置して、第１筐体２０および第２筐体３０が相対的に回動可能となる。このとき、第１回動軸Ｓ１は、第１筐体２０の第１面２３側および第２筐体３０の第２面３３側から、第３面２５側および第４面３５側へ移動しているため、第１筐体２０および第２筐体３０を閉じる方向へは回動できず、折り返す側（図４（Ｄ）中矢印Ｄ方向、図８中矢印Ａ方向）へのみ回動する。
図９には、折り返しの途中の状態が示されている。
【００２９】
図４（Ｅ）および図１０には、第１筐体２０および第２筐体３０を完全に折り返した状態が示されている。この状態では、第１筐体２０の第１表示部２４および第２筐体３０の第２表示部３４が、外側に位置して積層されている。
【００３０】
以上、説明した本発明に係る実施形態の電子機器１０によれば、第１面２３を有する第１筐体２０と、第２面３３を有する第２筐体３０とが、ヒンジ部４０を介して、閉状態と開状態との間で、回動可能に連結されている。ヒンジ部４０における第１回動軸Ｓ１を中心として第１筐体２０および第２筐体３０を回動させることにより、第１筐体２０において第２筐体３０に近い第１稜線２１１と、第２筐体３０において第１筐体２０に近い第２稜線３１１とが、接触または近接する。このため、第１筐体２０の第１面２３と、第２筐体３０の第２面３３とが、同一平面上で接近して配置されるので、両筐体２０、３０の表示部２４、３４を用いてあたかも一つの画面として良好な表示ができる。
【００３１】
また、第１回動軸Ｓ１は、第２回動軸Ｓ２回りに回動可能に第１筐体２０に取り付けられ、第３回動軸Ｓ３回りに回動可能に第２筐体３０に取り付けられている。このため、開状態において第１回動軸Ｓ１を第２回動軸Ｓ２および第３回動軸Ｓ３回りに回動させることにより、第１回動軸Ｓ１の向きを変えることができる。これにより、第１筐体２０と第２筐体３０の相対的な回動を阻止して、開状態を維持することができる。
【００３２】
また、本発明の電子機器１０によれば、開状態においては、第１筐体２０の第３稜線２２１と、第２筐体２０の第４稜線３２１とは、接触または近接している。この状態において、第２回動軸Ｓ２および第３回動軸Ｓ３を中心として第１回動軸を１８０度（閉状態から１８０度）回動することで、第１筐体２０の第３面２５と、第２筐体３０の第４面３５とが対向する折返状態まで、第１筐体２０および第２筐体３０を相対的に回動できる。
【００３３】
また、本発明の電子機器１０によれば、第１面２３に第１表示部２４が設けられ、第２面３３に第２表示部３４が設けられており、第１表示部２４と第２表示部３４を挟む対向位置にそれぞれヒンジ部４０が設けられている。
このため、第１表示部２４と第２表示部３４とが、同一平面上で接近して配置されるので、両筐体の表示画面で連続した表示が可能になる。
【００３４】
なお、本発明の電子機器は、前述した実施形態に限定されるものでなく、適宜な変形，改良等が可能である。
【産業上の利用可能性】
【００３５】
以上のように、本発明にかかる電子機器は、ヒンジ部における第１回動軸を中心として第１筐体および第２筐体を回動させることにより、第１筐体において第２筐体に近い第１稜線と、第２筐体において第１筐体に近い第２稜線とが接触する。第１筐体の第１面と、第２筐体の第２面とが、同一平面上で接近して配置されるので、両筐体の表示部を用いて一つの画面として良好な表示ができる。また、開状態において第２回動軸と第３回動軸とを回転させることにより、第１回動軸の向きを変えることができる。これにより、第１筐体と第２筐体との相対的な回動を阻止して、開状態を維持することができるという効果を有し、簡易な構造および操作で、二つの筐体を開閉して、両筐体の表示部を用いてあたかも一つの画面として良好な表示ができる電子機器等として有用である。
【符号の説明】
【００３６】
１０  電子機器
２０  第１筐体
２１１  第１稜線
２２１  第３稜線
２３  第１面
２４  第１表示部
２５  第３面
３０  第２筐体
３１１  第２稜線
３２１  第４稜線
３３  第２面
３４  第２表示部
３５  第４面
４０  ヒンジ部
Ｓ１  第１回動軸
Ｓ２  第２回動軸
Ｓ３  第３回動軸
【図１】
2013042338.tif 000003
【図２】
2013042338.tif 000004
【図３】
2013042338.tif 000005
【図４】
2013042338.tif 000006
【図５】
2013042338.tif 000007
【図６】
2013042338.tif 000008
【図７】
2013042338.tif 000009
【図８】
2013042338.tif 000010
【図９】
2013042338.tif 000011
【図１０】
2013042338.tif 000012
【図１１】
2013042338.tif 000013